【事件の表示】
　特願２００２−２７５９８２「情報処理装置、情報処理方法、及び情報処理プログラム」拒絶査定不服審判事件〔平成１６年　４月　８日出願公開、特開２００４−１１０７３４〕について、次のとおり審決する。
【結　論】
　本件審判の請求は、成り立たない。
【理　由】
１．手続きの経緯
　本願は、平成１４年９月２０日の出願であって、平成２０年２月６日付けで拒絶査定がなされたところ、これに対して同年３月１３日に拒絶査定に対する審判請求がなされ、同年４月１４日に手続補正書が提出されたものである。
　
２．補正却下の決定
　平成２０年４月１４日に提出された手続補正書による補正の却下の決定
　
（１）［補正却下の決定の結論］
　平成２０年４月１４日に提出された手続補正書による補正（以下、「本件補正」という。）を却下する。
　
（２）［補正却下の決定の理由］
（ａ）補正の内容
　本件補正によると、その特許請求の範囲の請求項１は、
「複数の表示物を表示する表示装置、及び、前記表示物への操作を行う操作装置をユーザインタフェースとする情報処理を実行する情報処理装置であって、
　前記表示物は、該表示物がグループオブジェクト又はグループオブジェクト以外のオブジェクトである個別オブジェクトのいずれであるかを指定する情報である識別情報を保持し、
　前記操作装置による一又は複数の表示物に係るイベントの発生を検出するイベント検出手段と、
　前記イベント検出手段にて検出されたイベントの発生が前記識別情報に基づいて個別オブジェクトに係るイベントであると判断された場合に、当該イベントの発生の検出に応じて、前記複数の表示物のそれぞれが保持する識別情報に基づきグループオブジェクトと判断された全てのグループオブジェクトについて、それぞれのグループオブジェクト内に位置する個別オブジェクトを検出し、前記検出された個別オブジェクトを前記グループオブジェクトに対応付けて保持するオブジェクト検出手段を備え、
　前記個別オブジェクトを前記グループオブジェクト内に加え、又は、前記グループオブジェクト内の前記個別オブジェクトを該グループオブジェクト内から除く、情報処理を、前記操作装置による前記個別オブジェクトに係るイベントに基づいて実行し、
　前記グループオブジェクトに対応づけて保持される前記個別オブジェクトをまとめて操作する情報処理を、前記操作装置による前記グループオブジェクトに係るイベントに基づいて実行することを特徴とする情報処理装置。」
と補正されている。　
　
（ｂ）補正の可否の検討
　以下、本件補正が、特許法第１７条の２第４項第２号に規定する補正の目的の規定に該当するか否かについて検討する。
　本件補正前の特許請求の範囲の請求項１は、平成１９年８月１３日付け手続補正書により補正された次のとおりのものである。
「複数の表示物を表示する表示装置、及び、前記表示物への操作を行う操作装置をユーザインタフェースとする情報処理を実行する情報処理装置であって、
　前記表示物は、該表示物がグループオブジェクト又はグループオブジェクト以外のオブジェクトである個別オブジェクトのいずれであるかを指定する情報である識別情報を保持し、
　前記操作装置による前記グループオブジェクトに係るイベントの発生に応じて、該グループオブジェクト内に位置する個別オブジェクトを検出し、前記検出された個別オブジェクトを前記グループオブジェクトに対応付けて保持するオブジェクト検出手段を備え、
　前記個別オブジェクトを前記グループオブジェクト内に加え、又は、前記グループオブジェクト内の前記個別オブジェクトを該グループオブジェクト内から除く、情報処理を、前記操作装置による前記個別オブジェクトに係るイベントに基づいて実行し、
　前記グループオブジェクトに対応づけて保持される前記個別オブジェクトをまとめて操作する情報処理を、前記操作装置による前記グループオブジェクトに係るイベントに基づいて実行することを特徴とする情報処理装置。」
　
　本件補正後の請求項１は、補正前の請求項１の「前記グループオブジェクトに係るイベントの発生に応じて」を「イベントの発生が前記識別情報に基づいて個別オブジェクトに係るイベントであると判断された場合に」とする補正、すなわち、「グループオブジェクトに係るイベント」を「個別オブジェクトに係るイベント」に変更する補正を含むものである。
　このような補正前の請求項に記載されている発明特定事項を変更する補正を含む本件補正は、特許法第１７条の２第４項第２号に規定する特許請求の範囲の減縮には該当しない。
　また、この補正は、同条同項第１号、３号、４号のいずれに規定する補正目的にも該当しない。
　
　なお、審判請求人は、請求の理由の「３．（ｂ）補正の根拠の明示」において、「「イベントの発生が前記識別情報に基づいて個別オブジェクトに係るイベントであると判断された場合に、」との補正は、誤記の訂正、及び処理の内容、対象を限定的に減縮する補正です。」と主張しているが、上記のように「グループオブジェクトに係るイベント」を「個別オブジェクトに係るイベント」に変更する補正は、誤記の訂正、特許請求の範囲の減縮には該当しないものである。
　
（ｃ）まとめ
　したがって、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により、却下する。　
　
３．本願発明
　上記のとおり、上記本件補正は却下されたので、本願の請求項１に係る発明（以下、「本願発明」という。）は、上記平成１９年８月１３日に提出された手続補正書における特許請求の範囲の請求項１に記載された事項により特定される、以下のとおりのものである。
「複数の表示物を表示する表示装置、及び、前記表示物への操作を行う操作装置をユーザインタフェースとする情報処理を実行する情報処理装置であって、
　前記表示物は、該表示物がグループオブジェクト又はグループオブジェクト以外のオブジェクトである個別オブジェクトのいずれであるかを指定する情報である識別情報を保持し、
　前記操作装置による前記グループオブジェクトに係るイベントの発生に応じて、該グループオブジェクト内に位置する個別オブジェクトを検出し、前記検出された個別オブジェクトを前記グループオブジェクトに対応付けて保持するオブジェクト検出手段を備え、
　前記個別オブジェクトを前記グループオブジェクト内に加え、又は、前記グループオブジェクト内の前記個別オブジェクトを該グループオブジェクト内から除く、情報処理を、前記操作装置による前記個別オブジェクトに係るイベントに基づいて実行し、
　前記グループオブジェクトに対応づけて保持される前記個別オブジェクトをまとめて操作する情報処理を、前記操作装置による前記グループオブジェクトに係るイベントに基づいて実行することを特徴とする情報処理装置。」
　
４．引用例
　原査定の拒絶の理由に引用された、特開平１０−６３４６２号公報（以下、「引用例」という。）には、図面とともに、以下のような記載がある。
（イ）「【０００２】
【従来技術及び発明が解決しようとする課題】ペンベースシステム及び「電子ホワイトボード(electronic whiteboard) 」［例えば、ゼロックス社(Xerox Corporation) の部門、Liveworks から入手可能なliveBoard （商標）］のようなコンピュータベースシステムは、ペン、スタイラス又はカーソル制御デバイスのような入力デバイスの利用に基づいたグラフィカルユーザインターフェースを提供する。このようなシステムにおいて、「ディスプレイ」は、データを示すための手段及び入力媒体の両方として働く。グラフィックオブジェクトは、ディスプレイ上に、入力デバイスを用いて作成するペンストロークによって「描写」されてもよい。グラフィックオブジェクトは、ワード（語）、図、又は表示できるあらゆるものを表現してもよい。次に、様々なオペレーションを、ジェスチャーとして知られている入力技法を用いてグラフィックオブジェクトに対して実行することができる。ジェスチャーは、自身が命令として解釈される単にペンストロークである。ペンストロークが残存的（persistent, 持続的) グラフィックオブジェクトを作成するか、又はペンストロークがジェスチャーとして扱われると、このようなシステムは、識別するためにオペレーションの描写モード及びオペレーションのジェスチャーモードを有することになる。
【０００３】LiveBoard のような電子ホワイトボードは、典型的には、ミーティングのような共同アクティビティと関連して使われる。それを使用して、リストや図等を表現するグラフィックオブジェクトが描写される。このようなシステムに対する共通オペレーションは、ユーザがグラフィックオブジェクトをグループ化することであり、オペレーションを、オブジェクトに一つのグループ化ユニット（単位）として適用することができる（例えば、オブジェクトをグループで移動して、そのグループのメンバ間に空間オリエンテーションを保持する）。そのようなオペレーションは、所望のグラフィックオブジェクトを取り囲んで、グループ化オペレーションを実行するような選択ジェスチャーによって実行されてもよい。ユーザは、例えば、オブジェクトをグループ化せずに、それらに個別にオペレート（動作）する、オブジェクトを加える又はオブジェクトをグループから引く等、後でグループを変更したいことがあるかもしれない。典型的なグラフィカルユーザインターフェースでは、このようなグループ化オペレーションは、ユーザがグループを選択して、「 Ungroup（グループ解消）」コマンドを与え、所望のオブジェクトを再選択して、次に所望のグラフィックオブジェクトに「Group （グループ化）」コマンドを与えることにより達成される。ミーティングのような動的（ダイナミック）設定で実行される場合、このようなステップは不便である。従って、このようなシステムでは、グラフィックオブジェクトのグループを簡単に変更できる技法に対する要求がある。
【０００４】「Apparatus and Method For Altering Enclosure Selections In A Gesture Based Input System」と題され、本願と同じ譲受人に譲渡された米国特許第５，４７１，５７８号（以下、’５７８号と記す）は、ユーザが全ジェスチャーを書き直す必要なく、選択ジェスチャーを変更することが可能になるグラフィカル編集システムを説明する。変更できる、即ち、ユーザが囲いサイズを拡張又は縮小可能な一組の後続ジェスチャーにより再形状化できる、一次的な(ephemeral) グラフィックオブジェクトとして処理される囲いを用いて、システムは選択を画定する。これらの変更ジェスチャーは、囲いの指定したポイント（点）又は部分を始動させてその形状を制御する。選択囲いを描写する場合、選択囲いに変更ジェスチャーとして関係するそれのロケーション（位置）で検出されるラインセグメントを描写することにより追加データを含むか又は除外して、既存の囲いを再形状化してラインセグメントを含むことができる。
【０００５】残念ながら、一度、選択が行われると、’５７８号の特許の発明を直接的に使用してグラフィックオブジェクトのグループを変更することはできない。これは、選択囲いが、選択が存在している間に存在するだけの一時的なグラフィックオブジェクトであるためである。
【０００６】グループによるオペレーティングについての他の欠点は、選択不足、即ち、グラフィックオブジェクトをグループとして扱うことができるという視覚的な指示がないというとである。グラフィックオブジェクトのグループ化を示し、邪魔にならず直観的な手段を提供することは望ましい。
【０００７】従って、視覚的に明白で残存性であるグラフィックオブジェクトのグループと対話するための手段に対する要求がある。」（段落【０００２】〜【０００７】）
　
（ロ）「【００１７】
【発明の実施の形態】下記用語を本明細書の記述に用いる。それらの用語は下記に示す意味を有する。グラフィックオブジェクト(Graphic Object)：２Ｄ空間のあらゆる表示オブジェクト。
カーブ(Curve) ：ユーザによる手作業で作られる（例えば、ペンストローク）又は、ジェスチャー等の他の手段により作られる（例えば「[ 」ジェスチャーから得られる矩形）、又はシステムにより生成される（例えば境界）、一次元のグラフィックオブジェクト。
ペンストローク(Pen Stroke)：ペンによる、インクストロークかジェスチャーになる動作。
インクストローク(Ink Stroke)：残存的カーブ（曲線）。
ジェスチャー(Gesture) ：一時的で、動作として解釈されるペンストロークで作られるカーブ。
囲い(Enclosure) ：それ自身で閉じて領域を画定するインクストローク。
囲い中身(Enclosure Contents)：囲いで画定された領域内に位置する一つ以上のグラフィックオブジェクト。
グループ(Group) ：それの中身をプラスした囲い。グループは単一のグラフィックオブジェクトとして働くことができ、例えば、その囲い上のタップジェスチャーがグループを選択する。
選択(Selection) ：選択によりタグ付けされるグラフィックオブジェクトのセット。
選択囲い(Selection Enclosure) ：いくつかのグラフィックオブジェクトを囲んでいるジェスチャー。これは選択を定義する通常の方法である。」（段落【００１７】第４頁第５欄第３１行〜第６欄第９行）
　
（ハ）「【００２３】図３は、本発明で使用可能なグラフィカルユーザインターフェースの特別な実施例を示す。図３を参照すると、グラフィカルユーザインターフェースはディスプレイ２０４上に表示され、タッチパネル２０５を通して対話されている。図示されるように、グラフィカルユーザインターフェースはワーク（作業）面を用いて、複数のアクセス可能機能３０１を使用してもよい。ワーク面３０２には、ユーザが様々なカーブ（曲線）を描写してもよい所、及び他のグラフィックオブジェクトが表示される所がある。アクセス可能機能３０１は、ディスプレイのボタン領域３０３に配置されている。機能３０１は、グラフィックオブジェクトを編集（作成、削除、移動、縮め等）、又はタッチパネル２０５の操作モードを変える（例えば、描写及びジェスチャーモードからの切り換え）ためのオペレーションを含んでもよい。
【００２４】これらの機能は、代わりに、ウィンドウズ(Windows) 指向アプリケーションに一般に見られるプルダウンメニューでアクセスされてもよい。しかし、これらの機能は、指示が任意（オプション) であり、それらの主要な目的は、システムオペレーションに固有なオペレーションを定義することである。これらの機能は、ジェスチャーにより起動される同じ機能を実行してもよい。
【００２５】本発明のこの好適な実施の形態は、グラフィカルユーザインタフェース(Graphical User Interface ; ＧＵＩ）を有するペンベースのシステムで実行される。このようなＧＵＩは、典型的には、グラフィックオブジェクトを選択／選択解除(deselecting) するための「タップ」、又はタップされるグラフィックオブジェクトと関連し得るオペレーションを起動するための「ダブルタップ」をサポートする。オブジェクトは、一度、選択されると、ワーク空間中の所望の位置にドラッグ及びドロップされる。」（段落【００２３】〜【００２５】）
　
（ニ）「【００２７】本発明のこの好適な実施の形態は、適切なホワイトボードエミュレーションプログラムの制御下で実行されるLiveBoard のようなペンベースシステム用のＣ＋＋プログラム言語で、ソフトウェアプログラムとして実行された。
【００２８】本発明により、グラフィックオブジェクトのグループを、その対応する囲いを変更することにより操作する様々な技法が可能になる。図４のフロー図は基本対話を示し、これによりこの好適な実施の形態のグラフィック入力システムにオペレーションが生じ得る。図４を参照すると、電子ホワイトボードの使用中に、ユーザは、１つ以上のグラフィックオブジェクトの周りにクローズドカーブ（閉曲線）を、例えば、ジェスチャー又はリンクにより、作成する（ステップ４０１）。これは、電子ホワイトボードの内容を編成又は再構成することにより起こる。ユーザが他のオペレーションを実行したり他のグラフィックオブジェクトを生成し得る時間の後で、ユーザはジェスチャーを作成する（ステップ４０２）。システムは、ジェスチャーの近くに置かれたグラフィックオブジェクトを調べる（ステップ４０３）。グラフィックオブジェクトのうちの１つがクローズドカーブであるかどうかを見るために、特定のチェックが行われる（ステップ４０４）。この好適な実施の形態では、これはグラフィックオブジェクトの形状をチェックすることにより行われる。しかしながら、例えば、フラグをグラフィックオブジェクトに取り付ける等、他の技法を使用して、クローズドカーブであることを示すことは、当業者には明白であろう。いずれにしても、グラフィックオブジェクトがクローズドカーブでない場合、ジェスチャーは非囲い（non-enclosure)オペレーションとして解釈される（ステップ４０８）。
【００２９】グラフィックオブジェクトのうちの１つがクローズドカーブである場合、システムはジェスチャーのタイプ（ステップ４０５）を識別する。ジェスチャータイプは典型的には、ジェスチャーを作成するために使用されるペンストロークの形状及び位置によって識別できる。次に、ジェスチャーオペレーションが囲いに有効であるか否かの決定がなされる（ステップ４０６）。有効でない場合、そのジェスチャーは、非囲いオペレーションとして解釈される（ステップ４０８）。ジェスチャーが囲いのオペレーションに有効なものであると決定されると、クローズドカーブを囲いとして扱い、その対応する囲いオペレーションを実行する（ステップ４０７）。ジェスチャーにより起動される様々な囲いオペレーションを下記に記述する。」（段落【００２７】〜【００２９】）
　
（ホ）「【００３２】残存的グラフィックオブジェクトとしての囲いは、以下の特徴を有する。
−　囲いは、典型的にはインクストロークであるが、固定領域とその境界（例えばハイライト領域）を画定する、あらゆるグラフィックオブジェクトでもよい。
−　囲いがインクストロークである場合、それらはストロークの始まりがストロークの終りと「閉じ」られているループ形ストロークである。インクストロークはまた、多くのグラフィカルフューザインタフェースで見られる矩形生成オペレーションを用いて作成される矩形でもよい。
−　囲いの内側は、固定領域を画定する。よって、例えば、各領域は、（グラフィックオブジェクトにより表現される）項目リストを保持できる。
−　囲いを選択することが、グループ、即ち、囲いと囲いによる画定領域内のグラフィックオブジェクト、を選択する。
−　囲いは、グラフィックオブジェクトの関連する集合を削除せずに消去されてもよい、即ち、囲いは、まさに他のインクストロークと同様である。
−　グラフィックオブジェクトを選択して、囲いによる画定領域中へ又はそこから移動することができる。
【００３３】囲いがグラフィックオブジェクトであるために、グラフィックオブジェクトに実行できるオペレーション、例えば、消去、即ち、色又は厚み等の変化の「拭き取り(wiping)」を囲いに実行することができる。囲いに実行されるオペレーションは、グループに同じ影響を与える。グループにオペレートするために、一般に実行すべき第１のステップは、囲いを選択することである。選択は、図５及び図６に関して示される。図５は、「ＡＢＣ」５０１で表現され、囲い５０２で囲まれているグラフィックオブジェクトを示す。囲いとして認識されるように、囲いのエンドポイントは十分に接近していなければならない。この十分な近さは、表示領域の解像度及びストロークの厚みのようなパラメータに依存する。グラフィックオブジェクト５０１及び囲い５０２の選択は、囲い５０２上の「タップ」ジェスチャー５０３により指示される。図６を参照すると、囲い５０２は、囲まれたグラフィックオブジェクト５０１と一緒に選択されている。このことは、選択ループ６０１の表示で示されている。更に、囲い５０２及びグラフィックオブジェクト５０１はグループを構成する。この好適な実施の形態において、選択は、囲い上のタップジェスチャーによって達成されるが、選択技法（例えば、他のタイプのジェスチャー）を使用してもよい。
【００３４】一度、グループが選択されると、グループ全体に影響を及ぼす他のオペレーションを実行できる。グループは、カラーの変更、グループの縮小又は拡張を、［例えば、ドラッギング又は右閉じくさび形（＞）ジェスチャーによって］移動、又は［例えば、左閉じくさび形（＜）ジェスチャーによって］コピーさせることができる。選択された囲いの中身に影響する他のオペレーションを以下に記述する。
【００３５】囲い中身の変更は、単にオブジェクトを囲い中へ移動、又は囲い中から移動、オブジェクトを消去する等によって達成されてもよい。上述したように、ユーザは、囲いを変更してその形状を変更してもよい。囲いの形状を変えることは、グラフィックオブジェクトを追加又は除去するユーザにとって便利な技法を提供する。ユーザは、他のグラフィックオブジェクトを含むように囲いを変更することによって、若しくはグラフィックオブジェクトを囲い中に移動又は新しいグラフィックオブジェクトを囲い内に作成できるように囲いを大きくすることによって、グラフィックオブジェクトをグループに追加してもよい。除去されるべきグラフィクオブジェクトが囲いによる画定領域内に無くなるように、囲いを再形状化することによりユーザはグラフィックオブジェクトをグループから除去してもよい。」（段落【００３２】〜【００３５】）
　
　以上の記載によれば、この引用例には以下のような発明（以下、「引用発明」という。）が開示されていると認められる。
　
「グラフィックオブジェクトを表示するディスプレイ、及び、前記グラフィックオブジェクトを選択／選択解除するための「タップ」、又はタップされるグラフィックオブジェクトと関連し得るオペレーションを起動するための「ダブルタップ」をサポートするタッチパネルをユーザインタフェースとするペンベースのシステムあって、
　前記グラフィックオブジェクトは２Ｄ空間のあらゆる表示オブジェクトであり、
　ユーザがジェスチャー（一時的で、動作として解釈されるペンストローク）を作成すると、ジェスチャーの近くに置かれたグラフィックオブジェクトがクローズドカーブ（閉曲線）であるかないかを調べ、グラフィックオブジェクトがクローズドカーブ（閉　曲線）である場合、ジェスチャーオペレーションが囲いに有効であるか否かの決定がなされ、有効なものであると判定されると、クローズドカーブ（閉曲線）を囲いとして扱い、その対応する囲いオペレーションを実行し、グラフィックオブジェクトがクローズドカーブ（閉曲線）でない場合、ジェスチャーは非囲いオペレーションとして解釈され、
　グラフィックオブジェクトとしての囲いの内側は、固定領域を画定し、例えば、各領域は、グラフィックオブジェクトにより表現される項目リストを保持でき、囲いを選択することが、グループ、即ち、囲いと囲いによる画定領域内のグラフィックオブジェクトを選択し、
　囲いに実行されるオペレーションは、グループに同じ影響を与え、一度囲いを選択してグループが選択されると、グループ全体に影響を及ぼす他のオペレーションが実行でき、
　囲い中身の変更は、単にグラフィックオブジェクトを囲い中に移動、又は囲い中から移動、グラフィックオブジェクトを消去する等により達成されてもよいことを特徴とするグラフィカルユーザインタフェースを有するペンベースシステム。」
　
５．対　比
　本願発明と引用発明とを対比する。
　引用発明の「グラフィックオブジェクト」は、本願発明の「表示物」に相当し、引用発明の「グラフィックオブジェクトを表示するディスプレイ」は、本願発明の「複数の表示物を表示する表示装置」に相当する。
　引用発明の「タッチパネルをユーザインタフェースとするペンベースのシステム」は、本願発明の「前記表示物への操作を行う操作装置をユーザインタフェースとする情報処理を実行する情報処理装置」に相当する。
　引用発明の「グラフィックオブジェクトとしての囲い」は、固定領域を画定し、内側の各領域は、グラフィックオブジェクトにより表現される項目リストを保持でき、囲いを選択することが、グループ、即ち、囲いと囲いによる画定領域内のグラフィックオブジェクトを選択し、囲いに実行されるオペレーションは、グループに同じ影響を与えるから、本願発明の「グループオブジェクト」に相当し、引用発明の「囲いに実行されるオペレーション」は、本願発明の「グループオブジェクトに係るイベント」に相当する。
　引用発明の囲いでない「グラフィックオブジェクト」は、本願発明の「グループオブジェクト以外のオブジェクトである個別オブジェクト」に相当するといえる。
　引用発明は、囲いの内側の各領域は、グラフィックオブジェクトにより表現される項目リストを保持でき、囲いを選択することが、グループ、即ち、囲いと囲いによる画定領域内のグラフィックオブジェクトを選択し、囲いに実行されるオペレーションは、グループに同じ影響を与えるから、本願発明の「前記グループオブジェクトに対応づけて保持される前記個別オブジェクトをまとめて操作する情報処理を、前記操作装置による前記グループオブジェクトに係るイベントに基づいて実行する」に相当するといえる。
　引用発明の「グラフィックオブジェクトを囲い中に移動、又は囲い中から移動、グラフィックオブジェクトを消去する等」は、本願発明の「個別オブジェクトに係るイベント」に相当し、引用発明の「囲い中身の変更は、単にオブジェクトを囲い中に移動、又は囲い中から移動、オブジェクトを消去する等により達成されてもよい」は、本願発明の「前記個別オブジェクトを前記グループオブジェクト内に加え、又は、前記グループオブジェクト内の前記個別オブジェクトを該グループオブジェクト内から除く、情報処理を、前記操作装置による前記個別オブジェクトに係るイベントに基づいて実行し」に相当している。
　　
　そうすると、両者は、
「複数の表示物を表示する表示装置、及び、前記表示物への操作を行う操作装置をユーザインタフェースとする情報処理を実行する情報処理装置であって、
　前記個別オブジェクトを前記グループオブジェクト内に加え、又は、前記グループオブジェクト内の前記個別オブジェクトを該グループオブジェクト内から除く、情報処理を、前記操作装置による前記個別オブジェクトに係るイベントに基づいて実行し、
　前記グループオブジェクトに対応づけて保持される前記個別オブジェクトをまとめて操作する情報処理を、前記操作装置による前記グループオブジェクトに係るイベントに基づいて実行することを特徴とする情報処理装置。」
で一致するものであり、次の（１）、（２）の点で相違している。
　
（１）本願発明は、「表示物は、該表示物がグループオブジェクト又はグループオブジェクト以外のオブジェクトである個別オブジェクトのいずれであるかを指定する情報である識別情報」を保持しているのに対し、引用発明は、グラフィックオブジェクトが識別情報を保持していることが明らかでない点。
　
（２）本願発明は、「前記操作装置による前記グループオブジェクトに係るイベントの発生に応じて、該グループオブジェクト内に位置する個別オブジェクトを検出し、前記検出された個別オブジェクトを前記グループオブジェクトに対応付けて保持するオブジェクト検出手段」を備えるのに対し、引用発明は、そのような検出手段を備えていることが明らかではない点。
　
６．当審の判断
・相違点（１）について
　引用例には、「システムは、ジェスチャーの近くに置かれたグラフィックオブジェクトを調べる（ステップ４０３）。グラフィックオブジェクトのうちの１つがクローズドカーブであるかどうかを見るために、特定のチェックが行われる（ステップ４０４）。この好適な実施の形態では、これはグラフィックオブジェクトの形状をチェックすることにより行われる。しかしながら、例えば、フラグをグラフィックオブジェクトに取り付ける等、他の技法を使用して、クローズドカーブであることを示すことは、当業者には明白であろう。」（記載事項（ニ）段落【００２８】）と記載されており、グラフィックオブジェクトが「囲い」（本願発明の「グループオブジェクト」に相当する。）であるかないかを指定するフラグ（本願発明の「識別情報」に相当する。）をグラフィックオブジェクトが保持することが示唆されている。
　そして、グラフィカルユーザインタフェース（ＧＵＩ）のオブジェクト表示において、コンテナオブジェクト（本願発明の「グループオブジェクト」に相当する。）と他のオブジェクト（本願発明の「個別オブジェクト」に相当する。）に異なる属性を持たせることは、本願の出願前周知技術（例えば、特開平９−２４４８４８号公報段落【００２３】〜【００２５】、特開平５−１５８７００号公報段落【０００７】〜【０００９】、【００２２】〜【００２６】、特開平１０−９７４０６号公報段落【００１５】〜【００１７】、【００３１】〜【００３３】参照）である。
　したがって、引用発明において、グラフィックオブジェクトは、「囲い」（本願発明の「グループオブジェクト」に相当する。）又は「囲い」以外のオブジェクトである個別オブジェクトのいずれであるかを指定する情報である識別情報を保持するようにすることは当業者が容易になし得ることである。
　
・相違点（２）について
　引用例には、「囲いを選択することが、グループ、即ち、囲いと囲いによる画定領域内のグラフィックオブジェクト、を選択する。」（記載事項（ホ）段落【００３２】）及び「グラフィックオブジェクト５０１及び囲い５０２の選択は、囲い５０２上の「タップ」ジェスチャー５０３により指示される。図６を参照すると、囲い５０２は、囲まれたグラフィックオブジェクト５０１と一緒に選択されている。このことは、選択ループ６０１の表示で示されている。更に、囲い５０２及びグラフィックオブジェクト５０１はグループを構成する。この好適な実施の形態において、選択は、囲い上のタップジェスチャーにより達成されるが、選択技法（例えば、他のタイプのジェスチャー）を使用してもよい。一度、グループが選択されると、グループ全体に影響を及ぼす他のオペレーションが実行できる。」（記載事項（ホ）段落【００３３】、【００３４】）と記載されており、「囲い」の選択に応じて、「囲い」内に位置するグラフィックオブジェクトを検出し、該グラフィックオブジェクトと「囲い」とをグループとして対応付けているといえるから、この点は実質的な相違点ではない。
　また、コンテナオブジェクト（本願発明の「グループオブジェクト」に相当する。）に係るイベントの発生に応じて、該コンテナオブジェクト内に位置するコンテナオブジェクト以外のオブジェクト（本願発明の「個別オブジェクト」に相当する。）を検出し、前記検出されたオブジェクトを前記コンテナオブジェクトに対応付けて保持することは、本願の出願前周知技術（例えば、上記特開平９−２４４８４８号公報【請求項２】、【請求項３】の「前記１つ以上のソース・オブジェクトの選択を登録するステップが、前記ソース・オブジェクトのサブセットの周囲にソース・コンテナを確立するステップを含み」、「前記複数のターゲット・オブジェクトの選択を登録するステップが、前記複数のターゲット・オブジェクトの周囲にターゲット・コンテナを確立するステップを含み」の記載参照）でもある。
　したがって、引用発明において、「操作装置による「囲い」（本願発明の「グループオブジェクト」に相当する。）に係るイベントの発生に応じて、該「囲い」内に位置するグラフィックオブジェクト（本願発明の「個別オブジェクト」に相当する。）を検出し、前記検出されたグラフィックオブジェクトを前記「囲い」に対応付けて保持するオブジェクト検出手段」を備えるようにすることは、当業者が必要に応じて適宜なし得る設計変更にすぎない。
　
　また、本願発明により奏される効果は当業者であれば引用発明及び周知技術から予想できる範囲内のものである。
　
７．むすび
　以上のとおり、本願請求項１に係る発明は、引用発明及び周知技術に基づいて当業者が容易に発明をすることができたものであるから、特許法第２９条第２項の規定により、特許を受けることができない。
　したがって、本願は、その余の請求項について論及するまでもなく、拒絶すべきものである。
　よって、結論のとおり審決する。